(57)【要約】      （修正有）【課題】吸気管内の結露を防ぐと共に洗浄が可能な呼吸回路カバーを提供する。【解決手段】人工呼吸システムにおける加湿された吸気ガスを患者へ供給する吸気管を覆う呼吸回路カバーが、開状態において、吸気管の長手方向に対応する二つの長辺部と、吸気管の外周面を包囲可能な長さの二つの短辺部とから形成されるシート形状を有するカバー主部１２と、カバー主部１２の二つの長辺部に沿って設けられた留め具と、を備え、カバー主部１２は、留め具を留め合わせた閉状態において、吸気管の外周面を包囲可能な筒形状となり、カバー主部１２は、外側から内側に向かって、外側生地１２１、第一アルミ地を含む中間生地１２２、及び第二アルミ地を含む内側生地１２３が少なくとも積層された複層生地で形成されている。【選択図】図５
2020022719.tif 000002
【特許請求の範囲】
【請求項１】
人工呼吸システムにおける加湿された吸気ガスを患者へ供給する吸気管を覆う呼吸回路カバーであって、
開状態において、前記吸気管の長手方向に対応する二つの長辺部と、前記吸気管の外周面を包囲可能な長さの二つの短辺部とから形成されるシート形状を有するカバー主部と、
前記カバー主部の前記二つの長辺部に沿って設けられた留め具と、
を備え、
前記カバー主部は、前記留め具を留め合わせた閉状態において、前記吸気管の外周面を包囲可能な筒形状となり、
前記カバー主部は、外側から内側に向かって、外側生地、第一アルミ地を含む中間生地、及び第二アルミ地を含む内側生地が少なくとも積層された複層生地で形成されている、
呼吸回路カバー。
【請求項２】
前記外側生地は、キルティング生地であり、
前記内側生地は、メッシュ状のアルミ保護生地と化繊綿地との間に前記第二アルミ地を挟んだ状態でキルティング加工されている、
請求項１に記載に呼吸回路カバー。
【請求項３】
前記外側生地には、図柄又は模様が施されている、
請求項１又は２に記載の呼吸回路カバー。
【請求項４】
前記留め具は、
前記カバー主部における長辺方向の患者側の第一端部から、該第一端部と長辺方向の人工呼吸器側の第二端部との間の第一特定部位まで延設された第一線ファスナーと、
前記カバー主部における前記第一特定部位に近接する第二特定部位又は前記第一特定部位から前記第二端部寄りに離間する第二特定部位から前記第二端部まで延設された第二線ファスナーと、
を含み、
前記第一線ファスナーは、前記第一端部から前記第一特定部位に向かう方向にスライダが移動することで、開状態となり、
前記第二線ファスナーは、前記第二特定部位から前記第二端部に向かう方向にスライダが移動することで、開状態となる、
請求項１から３のいずれか一項に記載の呼吸回路カバー。
【請求項５】
前記カバー主部は、
開状態において、前記二つの長辺部のそれぞれ一部を形成する二つの長辺部と前記二つの短辺部の一方を含む二つの短辺部とから形成されるシート形状を有し、該二つの長辺部に沿って前記第一線ファスナーが延設された第一の部分カバー部と、
開状態において、前記二つの長辺部のそれぞれ一部を形成する二つの長辺部と前記二つの短辺部の他方を含む二つの短辺部とから形成されるシート形状を有し、該二つの長辺部に沿って前記第二線ファスナーが延設された第二の部分カバー部と、
を含み、
前記第一の部分カバー部及び前記第二の部分カバー部はそれぞれ別体形成されており、一方の短辺部に、相互に着脱自在に連結するカバー連結部を含む、
請求項４に記載の呼吸回路カバー。
【請求項６】
前記カバー主部と同じ前記複層生地で形成されているシート状の連結カバー部、
を更に備え、
前記カバー主部は、外側面における少なくとも一方の短辺部の辺縁部の近傍に設けられた外部連結部を更に含み、
前記連結カバー部は、
内側面に、相互に別体の二つの呼吸回路カバーの前記外部連結部と着脱自在に連結する複数の連結部を含み、
前記複数の連結部が前記二つの呼吸回路カバーの前記外部連結部と連結した状態において、閉状態の前記二つの呼吸回路カバーの前記留め具の一部を覆いつつ、前記二つの呼吸回路カバーの前記カバー主部の間に跨設される、
請求項１から５のいずれか一項に記載の呼吸回路カバー。
【請求項７】
請求項１から６のいずれか一項に記載の呼吸回路カバーと共に用いられる呼吸回路ホルダーであって、
ホルダー紐と、
ロック状態において前記ホルダー紐の第一ループを形成した状態で前記ホルダー紐に係止され、解放状態で前記ホルダー紐に沿ってスライド可能となり、該第一ループの大きさを変化させ得るスライダフック部と、
前記第一ループを形成する部位に設けられており、前記第一ループの切断及び接続を可能とするループ連結部と、
前記ホルダー紐における前記スライダフック部を介して前記第一ループとは逆側の部位に設けられたクリップ部と、
を備える呼吸回路ホルダー。
【請求項８】
前記スライダフック部は、前記第一ループを形成する側と反対側にも前記紐状体の第二ループを形成し、
前記クリップ部は、前記第二ループを形成する前記紐状体に沿ってスライド自在に設けられている、
請求項７に記載の呼吸回路ホルダー。
【発明の詳細な説明】
【技術分野】
【０００１】
本発明は、人工呼吸システムに用いられる呼吸回路カバー及び呼吸回路ホルダーに関する。
【背景技術】
【０００２】
人工呼吸器で患者の呼吸を補助する人工呼吸システムでは、吸気ガスが加温及び加湿されて患者に供給されるが、その吸気ガスが通る吸気管内の結露が問題となっている。
下記特許文献１には、結露を生じさせることなく十分な加温及び加湿がなされた呼吸用ガスを安定して患者に供給することが可能な呼吸用ガスの加温加湿器が開示されている。この加温加湿器は、呼吸用ガスを加温加湿する加温加湿器本体と、この加温加湿器本体と患者に装着される患者インタフェースとの間を接続して患者に呼吸用ガスを供給する送気チューブとを有し、この送気チューブは、呼吸用ガスの流通経路を形成する内側チューブと、内側チューブの外周面を包囲する着脱可能なジャケットヒータとを有し、このジャケットヒータは、柔軟性を有する面状ヒータと、内側チューブの外周面を包囲したときに、この包囲状態を保持する留め具とを有する。
【先行技術文献】
【特許文献】
【０００３】
【特許文献１】特開２０１６−１２３７４４号公報
【発明の概要】
【発明が解決しようとする課題】
【０００４】
しかしながら、上述のような、ジャケットヒータで呼吸用ガスの流通経路を形成する内側チューブの外周面を包囲する構成では、電力が必要となると共に、面状ヒータの故障や誤作動の心配もある。更に、当該ジャケットヒータは、洗浄が難しいため、病院内で利用される場合における複数患者間での利用が困難という問題がある。
【０００５】
また、人工呼吸システムの呼吸管は、かさばると共に、或る程度の重さを有しているため、患者の動作により、呼吸管と患者インタフェースとの連結部に負荷がかかり、患者の体への負担の増加や呼吸回路の脱落等の問題が生じ得る。
【０００６】
本発明は、このような事情に鑑みてなされたものであり、吸気管内の結露を防ぐと共に、洗浄が可能な呼吸回路カバーを提供し、更に、呼吸回路カバーと共に用いられる呼吸回路ホルダーを提供する。
【課題を解決するための手段】
【０００７】
本発明の各側面では、上述した課題を解決するために、それぞれ以下の構成を採用する。
【０００８】
第１の側面は、人工呼吸システムにおける加湿された吸気ガスを患者へ供給する吸気管を覆う呼吸回路カバーに関する。第１の側面に係る呼吸回路カバーは、開状態において、吸気管の長手方向に対応する二つの長辺部と、吸気管の外周面を包囲可能な長さの二つの短辺部とから形成されるシート形状を有するカバー主部と、カバー主部の二つの長辺部に沿って設けられた留め具と、を備え、カバー主部は、留め具を留め合わせた閉状態において、吸気管の外周面を包囲可能な筒形状となり、カバー主部は、外側から内側に向かって、外側生地、第一アルミ地を含む中間生地、及び第二アルミ地を含む内側生地が少なくとも積層された複層生地で形成されている。
【０００９】
第２の側面は、第１の側面に係る呼吸回路カバーと共に用いられる呼吸回路ホルダーに関する。第２の側面に係る呼吸回路ホルダーは、ホルダー紐と、ロック状態においてホルダー紐の第一ループを形成した状態でホルダー紐に係止され、解放状態でホルダー紐に沿ってスライド可能となり、第一ループの大きさを変化させ得るスライダフック部と、第一ループを形成する部位に設けられており、第一ループの切断及び接続を可能とするループ連結部と、ホルダー紐におけるスライダフック部を介して第一ループとは逆側の部位に設けられたクリップ部と、を備える。
【発明の効果】
【００１０】
上記各側面によれば、吸気管内の結露を防ぐと共に、洗浄が可能な呼吸回路カバーを提供し、更に、呼吸回路カバーと共に用いられる呼吸回路ホルダーを提供することができる。
【図面の簡単な説明】
【００１１】
【図１】本実施形態に係る呼吸回路カバー及び呼吸回路ホルダーの利用形態を示す模式図である。
【図２】吸気管７に装着される開状態の呼吸回路カバーを示す図である。
【図３】吸気管７に装着される呼吸回路カバーの長手方向中央部を示す図である。
【図４】カテーテルマウントに装着される呼吸回路カバーを示す図である。
【図５】呼吸回路カバーのカバー主部の材料構成を示す模式図である。
【図６】呼吸回路カバーのカバー主部の縫合形態を示す模式図である。
【図７】呼吸回路ホルダーを示す図である。
【図８】呼吸回路カバーの第一変形例（分離型）を示す図である。
【図９】呼吸回路カバーの第二変形例（連結型）を示す図である。
【発明を実施するための形態】
【００１２】
以下、本発明の実施の形態について説明する。なお、以下に挙げる実施形態は例示であり、本発明は以下の実施形態の構成に限定されない。
【００１３】
［人工呼吸システム］
まず、本実施形態に係る呼吸回路カバーが利用される人工呼吸システムについて、図１を用いて説明する。図１は、本実施形態に係る呼吸回路カバー及び呼吸回路ホルダーの利用形態を示す模式図である。
人工呼吸システム１は、人工的に患者の呼吸を補助するシステムであり、主に、人工呼吸器２と、呼吸ガスが通過する流路である呼吸回路とから構成される。呼吸回路は、吸気ガスが通過する吸気回路と、呼気ガスが通過する呼気回路とを含んでいる。
【００１４】
本明細書において、「呼吸ガス」とは、患者が吸う吸気ガス及び患者がはき出す呼気ガスの総称であり、「呼吸回路」とは、患者の気管チューブや人工呼吸用マスク（以降、患者インタフェースと表記する）と人工呼吸器２との間で呼吸ガスが通過する流路を意味し、「吸気回路」とは、人工呼吸器２から患者まで連なる吸気ガスの流路を意味し、「呼気回路」とは、人工呼吸器２から患者まで連なる吸気ガスの流路を意味するものとする。
また、「呼吸回路」、「吸気回路」及び「呼気回路」の方向を示す場合に、患者側と人工呼吸器２側とを用い、後者は、呼吸器側と表記する場合がある。
【００１５】
本実施形態において、吸気回路は、吸気管７ａ及び７ｂ、加温加湿器３、Ｙピース４、並びにカテーテルマウント８を含み、呼気回路は、カテーテルマウント８、Ｙピース４、呼気管９ａ及び９ｂ、並びにウォータートラップ６を含んでいる。
【００１６】
人工呼吸器２は、患者の呼吸を人工的に管理し、吸気ガスを患者へ供給し、呼気ガスを排出する。具体的には、人工呼吸器２は、ガス送出口及びガス導入口を持ち、患者へ供給するべく吸気ガスをガス送出口に接続される吸気管７ａへ送出し、ガス導入口に接続される呼気管９ｂから呼気ガスを取り込み、排出する。図示されていないが、人工呼吸器２のガス送出口は、コネクタやフィルタ等を介して吸気管７ａに接続され、人工呼吸器２のガス導入口は、呼気弁ダイアフラム等を介して呼気管９ｂと接続される。また、そのガス送出口又はガス導入口にはフローセンサ等の他の部品を介在させることもできる。
【００１７】
吸気管７ａ及び７ｂ並びに呼気管９ａ及び９ｂは、蛇腹構造などにより柔軟性を有する中空筒状の管である。吸気管７ａ及び７ｂには吸気ガスが流れ、呼気管９ａ及び９ｂには呼気ガスが流れる。
【００１８】
加温加湿器３は、導入口から導入された吸気ガスに対して加温及び加湿を行い、加温及び加湿された吸気ガスを送出口から送出する。加温加湿器３の導入口は、吸気管７ａの患者側端に接続されており、送出口は、吸気管７ｂの呼吸器側端に接続されている。
加温加湿器３は、内部又は外部に設けられたセンサで検出されたガスの温度及び湿度に基づいて、吸気に適した温度及び湿度となるように、加温及び加湿の制御を行う。加温加湿器３自体の制御方法や構成は何ら制限されない。
【００１９】
Ｙピース４は、管状の三方向コネクタであり、患者側の一つの連結口と、呼吸器側の二つの連結口とを持ち、患者側の一つの連結口にはカテーテルマウント８が接続され、呼吸器側の二つの連結口には吸気管７ｂの患者側端及び呼気管９ａの患者側端が接続される。
カテーテルマウント８は、患者インタフェースを呼吸回路に接続する。具体的には、カテーテルマウント８は、患者側端で患者インタフェースと接続され、呼吸器側端でＹピース４に接続される。
【００２０】
ウォータートラップ６は、導入口及び送出口を有しており、呼気バスを通過させながら呼吸回路内で発生する余剰水分を貯留する。ウォータートラップ６は、導入口を介して呼気管９ａの呼吸器側端に接続されており、送出口を介して呼気管９ｂの患者側端に接続されている。
【００２１】
但し、図１に示される人工呼吸システム１の構成はあくまで例示であり、本実施形態に係る呼吸回路カバー及び呼吸回路ホルダーは、図１とは異なる構成の人工呼吸システムにも利用可能である。例えば、人工呼吸システム１は、図１に示されていない他の部品、例えば、ネブライザーやコネクタ、フィルタ等を更に有していてもよいし、人工呼吸システム１を構成する部品の数や位置も図１に示される例に限定されない。
【００２２】
［呼吸回路カバー］
本実施形態では、図１に示されるとおり、二種の呼吸回路カバー１０及び呼吸回路カバー２０が例示される。
呼吸回路カバー１０は加温加湿器３とＹピース４とに接続される吸気管７ｂに装着され、呼吸回路カバー２０はＹピース４と患者インタフェースとに接続されるカテーテルマウント８に装着される。
このように、本実施形態に係る呼吸回路カバーは、上述のような人工呼吸システム１における加湿された吸気ガスを患者へ供給する吸気管を覆うように装着することができる。但し、呼吸回路カバーは、人工呼吸器２から加温加湿器３へ向かう加湿前の吸気ガスが通過する吸気管７ａに装着されてもよいし、呼気管９ａ及び９ｂに装着されてもよい。
【００２３】
図２は、開状態の呼吸回路カバー１０を示す図であり、図３は、呼吸回路カバー１０の長手方向中央部を示す図である。
呼吸回路カバー１０は、主にカバー主部１２により構成されている。
カバー主部１２は、図２に示されるように、開状態において、吸気管７ｂの長手方向に沿う二つの長辺部と、吸気管７ｂの外周面を包囲可能な長さの二つの短辺部とから形成されるシート形状を有する。
このため、呼吸回路カバー１０の長さは、カバー主部１２の長辺部の長さに相当し、吸気管７ｂの長さと近似する長さとされることが好ましい。
このようにすれば、吸気管７ｂをその長手方向において広く覆うことができるため、吸気管７ｂを広い範囲で保温することができ、吸気管７ｂ内の結露を防ぐことができる。但し、呼吸回路カバー１０の長さは、吸気管７ｂの長さよりも短くされ、吸気管７ｂの長さの一部を覆うことができる長さとされてもよい。
【００２４】
以降、カバー主部１２の長辺部が延びる方向を呼吸回路カバー１０又はカバー主部１２の長さ方向又は長辺方向と表記し、カバー主部１２の短辺部が延びる方向を呼吸回路カバー１０又はカバー主部１２の幅方向又は短辺方向と表記する。
【００２５】
呼吸回路カバー１０は、更に、カバー主部１２の二つの長辺部に沿って設けられる留め具を有している。本実施形態においてこの留め具は、二つの線ファスナー、即ち、第一線ファスナー１４及び第二線ファスナー１６により構成されている。図２及び図３では、第一線ファスナー１４の構成部品には、数字「１４」と英一文字「Ｌ」、「Ｒ」等とを合わせた符号が付され、第二線ファスナー１６の構成部品には、数字「１６」と英一文字「Ｌ」、「Ｒ」等とを合わせた符号が付されている。
具体的には、第一線ファスナー１４は、エレメント１４Ｌ及び１４Ｒ、上止（図示せず）、箱１４Ｈ、箱棒１４Ｋ、蝶棒１４Ｃ、スライダ１４Ｓ等から構成され、第二線ファスナー１６は、エレメント１６Ｌ及び１６Ｒ、上止１６Ｕ及び１６Ｖ、箱１６（図示せず）、箱棒（図示せず）、蝶棒（図示せず）、スライダ１６Ｓ等から構成される。
【００２６】
この留め具を留め合わせることで、カバー主部１２（呼吸回路カバー１０）は、閉状態となり、吸気管７ｂの外周面を包囲可能な筒形状となる。
ここで、留め具が「二つの長辺部に沿って設けられる」とは、各長辺部の延びる方向と平行にそれぞれ設けられることを意味する。このため、留め具は、二つの長辺部に沿って、長辺部の辺縁部にそれぞれ設けられてもよいし、長辺部の辺縁部よりも短辺方向の中央寄りにそれぞれ設けられてもよい。
呼吸回路カバー１０は、このような留め具を有することで、筒形状の閉状態とシート形状の開状態とに変化自在となり、吸気管７ｂに対する脱着が容易となる。
【００２７】
図２（ａ）は呼吸回路カバー１０の表側面を示し、図２（ｂ）は呼吸回路カバー１０の内側面を示す。
本実施形態では、図２（ａ）に示されるように、第一線ファスナー１４及び第二線ファスナー１６のエレメント１４Ｒ及び１６Ｒは、長辺部の辺縁部からカバー主部１２の外側面の短辺方向中央寄りに設けられており、それらのエレメント１４Ｌ及び１６Ｌは、他方の長辺部の辺縁部付近に配置されるようにカバー主部１２の内側に縫合されている。なお、このような呼吸回路カバー１０の縫合方法の詳細については後述する。
このように留め具を配設することで、呼吸回路カバー１０は、留め具を留め合わせた閉状態の管形状において、カバー主部１２が二重に重なる領域を有することになる。具体的には、閉状態において、カバー主部１２の一方の長辺部（図２（ａ）の右側）の辺縁部からエレメント１４Ｒ及び１６Ｒまでの領域ＤＡが内部に収まり、二重に重なった状態となる。これにより、閉状態の留め具の内側にカバー主部１２のその重なる領域ＤＡが配置されることになるため、留め具からの放熱を防ぐことができ、吸気管７ｂに対する脱着を容易としつつ、呼吸回路カバー１０の保温効果を維持することができる。
但し、エレメント１４Ｒ及び１６Ｒも、エレメント１４Ｌ及び１６Ｌのように、長辺部の辺縁部に配置されてもよい。
【００２８】
第一線ファスナー１４（エレメント１４Ｒ及び１４Ｌ）は、カバー主部１２における長辺方向の患者側の第一端部（図２で示される上端）から、その第一端部と長辺方向の呼吸器側の第二端部（図２で示される下端）との間の第一特定部位（本実施形態では長辺方向の中央）まで延設されている。即ち、第一線ファスナー１４の箱１４Ｈ及び箱棒１４Ｋが第一特定部位に配置されており、第一線ファスナー１４の上止１４Ｕ及び１４Ｖが第一端部に配置されている。
ここで、第一端部及び第二端部は、端縁から或る程度の幅を持つ領域を指すため、端縁であってもよいし、端縁より逆端部寄りの部位であってもよい。
第二線ファスナー１６は、カバー主部１２における第一特定部位（長辺方向の中央）に近接する第二特定部位から第二端部（図２で示される下端）まで延設されている。即ち、第二線ファスナー１６の箱及び箱棒が第二端部に配置されており、第二線ファスナー１６の上止１６Ｕ及び１６Ｖが第二特定部位に配置されている。
【００２９】
第一線ファスナー１４は、第一端部から第一特定部位に向かう方向にスライダ１４Ｓが移動することで、開状態となり、第二線ファスナー１６は、第二特定部位から第二端部に向かう方向にスライダ１６Ｓが移動することで、開状態となる。言い換えれば、カバー主部１２が閉状態では、第一線ファスナー１４のスライダ１４Ｓは第一端部に位置し、第二線ファスナー１６のスライダ１６Ｓは第二特定部位に位置する。
以降、第一線ファスナー１４の上止の位置を第一線ファスナー１４の始端部と表記し、第一線ファスナー１４の箱１４Ｈの位置を第一線ファスナー１４の終端部と表記し、第二線ファスナー１６の上止１６Ｕ及び１６Ｖの位置を第二線ファスナー１６の始端部と表記し、第二線ファスナー１６の箱の位置を第二線ファスナー１６の終端部と表記する場合がある。
【００３０】
このように、呼吸回路カバー１０は、第一線ファスナー１４の始端部が設けられている第一端部を患者側に配置し、第二線ファスナー１６の終端部が設けられている第二端部を呼吸器側に配置して、吸気管７ｂに装着されることが好ましい。
これにより、結露し易い患者に近い側から吸気管７ｂ内の結露状態を確認し易くなると共に、中間地点での吸気管７ｂ内の結露状態も第二線ファスナー１６のスライダ１６Ｓを少し移動させるだけで確認できるため、吸気管７ｂ内の状態確認の作業負担を軽減することができる。
【００３１】
但し、カバー主部１２には３つ以上の線ファスナーが設けられてもよいし、上述の効果が減少するが一つの線ファスナーのみが設けられてもよい。
例えば、カバー主部１２に３つの線ファスナーが設けられる場合、第一線ファスナー１４は、カバー主部１２における第一端部から第一特定部位まで延設され、第二線ファスナー１６は、カバー主部１２における第一特定部位から第二端部寄りに離間する第二特定部位から第二端部まで延設され、第三線ファスナー（図示せず）は、その第一特定部位に近接する第三特定部位からその第二特定部位まで延設されればよい。
【００３２】
図３（ａ）は、スライダカバー１８を開いた状態における呼吸回路カバー１０の長手方向中央部を示す図であり、図３（ｂ）は、スライダカバー１８を閉じた状態における呼吸回路カバー１０の長手方向中央部を示す図である。
呼吸回路カバー１０は、図２及び図３に示されるとおり、少なくとも第一線ファスナー１４の終端部及び第二線ファスナー１６の始端部を覆うことができるスライダカバー１８を更に有している。
例えば、スライダカバー１８は、シート形状を有し、その一端が、カバー主部１２におけるエレメント１４Ｒ及び１６Ｒよりも短辺方向中央寄りに縫合されており、逆端の内表面に面ファスナー１８１を有する。スライダカバー１８の面ファスナー１８１が、カバー主部１２におけるエレメント１４Ｌ及び１６Ｌよりも短辺方向中央寄りに設けられた面ファスナー１８２と係合することで、スライダカバー１８は、第一線ファスナー１４の終端部及び第二線ファスナー１６の始端部を覆った状態で保持される。
更に、本実施形態におけるスライダカバー１８は、イチゴを模したシート形状を有しており、その外表面にはイチゴ図柄が施されている。
【００３３】
これにより、カバー主部１２の閉状態において、スライダカバー１８により、第二線ファスナー１６のスライダ及び第一線ファスナー１４の箱１４Ｈ、箱棒１４Ｋ及び蝶棒１４Ｃ、並びに第一線ファスナー１４の終端部と第二線ファスナー１６の始端部との隙間を隠すことができるため、患者に安心感を与え、人工呼吸システム１による患者のストレスを軽減することができる。
【００３４】
図４は、カテーテルマウント８に装着される呼吸回路カバー２０を示す図であり、図４（ａ）は、呼吸回路カバー２０の表側面を示し、図４（ｂ）は、呼吸回路カバー２０の内側面を示す。
呼吸回路カバー２０も、呼吸回路カバー１０のカバー主部１２と同様に、主にカバー主部２２により構成されている。
カバー主部２２は、図４に示されるように、開状態において、カテーテルマウント８の長手方向に沿う二つの長辺部と、カテーテルマウント８の外周面を包囲可能な長さの二つの短辺部とから形成されるシート形状を有する。
このため、呼吸回路カバー２０の長さは、カバー主部２２の長辺部の長さに相当し、カテーテルマウント８の長さと近似する長さとされることが好ましい。カテーテルマウント８は、吸気管７ｂに比べてより短いため、呼吸回路カバー２０の長辺部の長さは呼吸回路カバー１０のそれよりもかなり短くなっている。
これにより、カテーテルマウント８を広い範囲で保温することができ、カテーテルマウント８内の結露を防ぐことができる。但し、呼吸回路カバー２０の長さは、カテーテルマウント８の長さよりも短くされ、カテーテルマウント８の長さの一部を覆うことができる長さとされてもよい。
【００３５】
呼吸回路カバー２０は、更に、呼吸回路カバー２０（カバー主部２２）を管形状で保持させる留め具を有している。
呼吸回路カバー２０の留め具は、線ファスナーのスライダ引き手のように外側に露出する部材を持たない留め具とされることが好ましく、例えば、面ファスナー、スナップボタン等で実現される。
呼吸回路カバー２０は、患者により近い位置に装着されるため、外側に露出する部材があると、患者の目障りとなるばかりでなく、患者の体を傷つける可能性もあるからである。
本実施形態では、留め具は、それぞれ３つの凸スナップボタン２５Ｏ及び凹スナップボタン２５Ｍにより実現されている。凹スナップボタン２５Ｍがカバー主部２２の表側面の長辺部の辺縁付近に設けられており、凸スナップボタン２５Ｏがカバー主部２２の内側面の他方の長辺部の辺縁付近に設けられている。これにより、両者を係合させることで、呼吸回路カバー２０（カバー主部２２）を管形状に保持することができる。
【００３６】
次に、呼吸回路カバー１０及び２０のカバー主部１２及び２２の材料構成について図５を用いて説明する。図５は、呼吸回路カバー１０のカバー主部１２の材料構成を示す図である。
ここで、呼吸回路カバー１０及び呼吸回路カバー２の主な領域はそれぞれ同一材料構成とされるため、以下には、呼吸回路カバー１０の材料構成を代表して説明することとする。但し、呼吸回路カバー１０と呼吸回路カバー２０とは異なる材料構成とされてもよい。
【００３７】
呼吸回路カバー１０のカバー主部１２の主な領域は、外側から内側に向かって、外側生地１２１、中間生地１２２、及び内側生地１２３が少なくとも積層された複層生地で形成されている。
ここで「カバー主部１２の主な領域」とは、バイアステープ等により縁取りされた領域や、図２（ａ）に示される領域ＤＡや、第一線ファスナー１４及び第二線ファスナー１６が設けられた領域（ファスナーテープ等を含む領域）を除いた広範な領域であり、例えば、カバー主部１２の全領域の７割以上を占める領域である。
また、外側生地１２１、中間生地１２２及び内側生地１２３における「生地」とは、縫製の材料となる布地やシート材を意味する。
そして、中間生地１２２及び内側生地１２３は、少なくともアルミ地（第一アルミ地及び第二アルミ地）を含む。
【００３８】
このように、呼吸回路カバー１０及び２０のカバー主部１２及び２２が外側生地１２１、中間生地１２２及び内側生地１２３の少なくとも３つの複層生地で形成され、かつ、少なくとも中間生地１２２及び内側生地１２３にそれぞれアルミ地（アルミ布、アルミシート）を含むことで、中間生地１２２と内側生地１２３との間の空気層をアルミ地で挟んだ構成を有するため、呼吸回路カバー１０及び２０の保温効果を高め、ヒータを持たなくとも、吸気管７ｂ及びカテーテルマウント８内の結露を防ぐことができる。
但し、カバー主部１２及び２２は、内側生地１２３と中間生地１２２とにそれぞれアルミ地が含まれていれば、外側生地１２１と内側生地１２３との間に２層以上の中間生地を含む４層以上の複層生地で形成されてもよい。
【００３９】
本実施形態では、外側生地１２１は、木綿１００％の表地１２１ａと裏地１２１ｃとの間にポリエステル１００％の中綿１２１ｂを挟んでキルティング加工されたキルティング生地（キルト生地）とされており、更に、表地１２１ａには図柄又は模様が施されている。
このような外側生地１２１のキルティング加工や図柄又は模様により患者、特に幼少患者のストレスを軽減することができると共に、ファッション性が向上するため、人工呼吸システム１を利用することに対する患者及び介護者の心持ちを改善することができる。更に、外側生地１２１のキルティング生地によりクッション性を高め、接触した際の感触を良くすることができる。
但し、呼吸回路カバー１０及び２０を成人患者に利用する場合等には、外側生地１２１には図柄又は模様は施されていなくてもよい。
【００４０】
中間生地１２２は、アルミ保温シートとされている。アルミ保温シートは、例えば、ＰＥＴフィルムにアルミ蒸着を施したフィルム１２２ａを発砲ポリエチレン１２２ｂに貼り合わせて成形される。アルミ保温シートは、アルミニウムを素材に含んでいれば、その具体的な材料構成は限定されない。
【００４１】
また、本実施形態では、内側生地１２３は、メッシュ状のアルミ保護生地１２３ｄと化繊綿地１２３ａとの間に不織布１２３ｂが接着されたアルミシート（第二アルミ地に相当）１２３ｃを挟んだ状態でキルティング加工されている。
これにより、アルミシート１２３ｃが最内のアルミ保護生地１２３ｄで保護されるため、吸気管７ｂ及びカテーテルマウント８への接触や洗濯時の衝撃によるアルミシート１２３ｃの破損を防ぐことができる。更に、アルミシート１２３ｃから外側に不織布１２３ｂ及び化繊綿地１２３ａを設けることで、中間生地１２２に含まれるアルミ地とアルミシート１２３ｃとの間に厚い空気層を形成することができ、保温効果を高めることができる。
このように本実施形態に係る呼吸回路カバー１０及び２０によれば、高い保温効果を実現しているため、ヒータを持たずとも吸気管７ｂ及びカテーテルマウント８内の結露を防ぐことができると共に、洗濯にも耐えうる素材及び構造を有するため、病院内での複数患者間利用も可能となる。
【００４２】
図６は、呼吸回路カバー１０のカバー主部１２の縫合形態を示す模式図である。
本実施形態では、中間生地１２２及び内側生地１２３は、同一の幅（短辺部の長さ）とされ、外側生地１２１は、中間生地１２２及び内側生地１２３よりも短幅（短辺部の長さが短い）とされている。例えば、図６に示されるように、外側生地１２１の幅が１４０ｍｍとされ、中間生地１２２及び内側生地１２３の幅が１５５ｍｍとされる。但し、各生地の幅は、図６に示される長さに限定されない。
【００４３】
外側生地１２１、中間生地１２２及び内側生地１２３の一方の長辺部（図６の左側）は、辺縁部が揃えられて重ねられた状態でバイアステープＢＴで縁取りされ、内側生地１２３の内側面にエレメント１４Ｌ（又はエレメント１６Ｌ）のファスナーテープを配置させて、全てが縫合されている。
一方で、外側生地１２１、中間生地１２２及び内側生地１２３の他方の長辺部（図６の右端）は次のように縫合されている。まず、中間生地１２２及び内側生地１２３は、相互に重ね合わされ、長辺部の辺縁部を片折バイアステープＫＢＴと共にバイアステープＢＴで縁取りされて、二層生地が形成されている。外側生地１２１のその長辺部の辺縁部もバイアステープＢＴで縁取りされており、外側生地１２１のその長辺部と当該二層生地の片折バイアステープＫＢＴとの間にエレメント１４Ｒのファスナーテープを挟んだ状態で縫合されている。
ここで、外側生地１２１、中間生地１２２及び内側生地１２３は、一方の長辺部の辺縁部（図６左側）が揃えられているため、外側生地１２１の当該他方の長辺部の辺縁部（図６右側）は、中間生地１２２及び内側生地１２３の短辺方向の外側生地１２１の実際の幅（１４０ｍｍ）に対応する位置に配置されるのが通常であるところ、外側生地１２１の当該他方の長辺部の辺縁部（図６右側）が、中間生地１２２及び内側生地１２３の短辺方向の外側生地１２１の実際の幅（１４０ｍｍ）よりも１０ｍｍ小さい幅（１３０ｍｍ）に対応する位置に配置されるように、縫合されている。
このように、外側生地１２１に対して中間生地１２２及び内側生地１２３が撓んだ状態で縫合されているため、カバー主部１２は管状になり易く、閉状態において吸気管７ｂにより密着し、保温効果を向上させることができる。
また、カバー主部１２の外側面では、外側生地１２１の幅と他の二層生地の幅との差及び上述のような縫合形態により、外側生地１２１の長辺縁から当該二層生地の片折バイアステープが幅方向にはみ出しており、結果、このはみ出した片折バイアステープが図２（ａ）に示される領域ＤＡを形成している。
【００４４】
以上のような本実施形態に係る呼吸回路カバー１０及び２０の効果は、複数タイプの人工呼吸器２に関してそれぞれ実験を行うことで検証され、結果として、呼吸回路カバー１０及び２０を装着した場合は、装着しない場合と比較して、結露量が大幅に低減され、呼気ポート手前の呼気の絶対湿度及び温度についてもより高い状態で維持されることが確認されている。
【００４５】
［呼吸回路ホルダー］
呼吸回路ホルダー３０は、患者インタフェースに対する負荷の増加や呼吸回路の脱落等を防ぐべく、呼吸回路を支持する。図１の例では、２つの呼吸回路ホルダー３０を用いて、呼吸回路カバー１０が装着された吸気管７ｂが支持されている。
但し、呼吸回路ホルダー３０は、吸気管７ｂのみでなく、吸気管７ａやカテーテルマウント８、或いは、呼気管９ａ、呼気管９ｂを支持することもできる。更に言えば、呼吸回路ホルダー３０は、人工呼吸システム１の呼吸回路のみならず、点滴チューブなどの輸液ラインを支持することもできる。
【００４６】
図７は、呼吸回路ホルダー３０を示す図であり、図７（ａ）は、スライダフック部３２がロック状態でありかつループ連結部３３が接続状態である呼吸回路ホルダー３０を示し、図７（ｂ）は、スライダフック部３２が解放状態でありかつループ連結部３３が切断状態である呼吸回路ホルダー３０を示す。
図７に示されるように、呼吸回路ホルダー３０は、ホルダー紐３１、スライダフック部３２、ループ連結部３３、及びクリップ部３４を有している。
ホルダー紐３１は、紐体であればよく、吸気管７ｂのような支持対象物を支持し得る強度を持つ素材で成形されていれば、具体的な素材は何ら限定されない。
【００４７】
ループ連結部３３は、一本のホルダー紐３１の両端に設けられており、ホルダー紐３１の両端を脱着自在に連結する部材である。ホルダー紐３１の両端を連結させている際のループ連結部３３の状態が接続状態と表記され、ホルダー紐３１の両端を離脱させている際のループ連結部３３の状態が離脱状態と表記される。
このため、ループ連結部３３が接続状態である場合に、ホルダー紐３１は大ループを形成し、ループ連結部３３が離脱状態である場合に、ホルダー紐３１の大ループは切断される。
ループ連結部３３は、ホルダー紐３１の両端を脱着自在に連結することができれば、その具体的構造は制限されない。本実施形態では、ループ連結部３３は、サイドリリースバックルで実現されている。
【００４８】
スライダフック部３２は、ホルダー紐３１の大ループを二つのループ（一方はループ連結部３３が存在する第一ループ）に分断するように、ホルダー紐３１の離間した二つの部位を内部に挿通する構造と、ロック状態と解放状態とに遷移可能な構造とを有している。このため、スライダフック部３２は、ループ連結部３３が存在する第一ループとはスライダフック部３２を挟んで反対側にもホルダー紐３１の第二ループを形成するということができる。
このようにスライダフック部３２により二つのループを形成することで、ループ連結部３３が存在する一方のループを支持対象物（本実施形態では呼吸回路カバー１０が装着された吸気管７ｂ）に巻き付けると共に、他方のループは、他のフック状のものに引っ掛けることができる。
【００４９】
スライダフック部３２は、ロック状態において、内部に挿通するホルダー紐３１の二つの部位を合わせて押圧することで、ホルダー紐３１に係止される。一方で、スライダフック部３２は、解放状態でホルダー紐３１に沿ってスライド可能となり、内部に挿通するホルダー紐３１の二つの部位が移動することで、分断する二つのループの大きさを変化させる。
これにより、ループ連結部３３が存在するループ内に支持対象物を挿入した後、解放状態のスライダフック部３２を支持対象物に近寄る方向にスライドさせることで、支持対象物の外周の大きさにフィットするまで当該ループの大きさを変化させることができる。結果、呼吸回路ホルダー３０で支持対象物の動きを抑制して強固に支持することができる。
【００５０】
クリップ部３４は、ホルダー紐３１におけるループ連結部３３が存在する部位とはスライダフック部３２を介して逆側の部位に、ホルダー紐３１に沿ってスライド自在に設けられている。
クリップ部３４は、衣類や布団などの縁を挟持可能な構造を持てばよく、クリップ部３４の具体的構造は何ら制限されない。本実施形態では、クリップ部３４は、フィッシュクリップにより実現されている。
このクリップ部３４によれば、ループ連結部３３が存在するループを支持対象物に巻き付けた状態で、その逆端を布団や衣類などの縁に固定することができるため、支持対象物が動くのを抑制しながら固定することができる。
【００５１】
［変形例］
本実施形態に係る呼吸回路カバー及び呼吸回路ホルダーは、上述の内容に限定されるものではなく、目的が達成される限りにおける種々の変形、改良等を許容する。
例えば、呼吸回路カバー１０においてカバー主部１２の二つの長辺部に沿って設けられた留め具として線ファスナーが用いられたが、留め具を留め合わせた閉状態においてカバー主部１２を管形状とすることができれば、呼吸回路カバー２０のように、面ファスナー、スナップボタン等の他の形態の留め具とされてもよい。
【００５２】
また、呼吸回路ホルダー３０は、ループ連結部３３により一本のホルダー紐３１が大ループを形成し、スライダフック部３２によりその大ループが二つのループに分断される構成とされたが、二本のホルダー紐３１で一つのループを形成するような構成とされてもよい。
この場合、二本のホルダー紐３１の各一端に一つのループ連結部３３が設けられ、ループ連結部３３により二本のホルダー紐３１が連結されて一本の紐状体となるように構成される。更に、一方のホルダー紐３１の逆端にクリップ部３４が設けられ、他方のホルダー紐３１の逆端がスライダフック部３２に接続される。スライダフック部３２は、当該他方のホルダー紐３１の逆端に接続されかつ、当該一方のホルダー紐３１を内部に挿通させ、ロック状態でその一方のホルダー紐３１の部位を押圧して係止され、解放状態でその一方のホルダー紐３１に沿ってスライド可能とされる。これにより、スライダフック部３２からループ連結部３３側にホルダー紐３１の一つのループが形成され、スライダフック部３２を介した逆側は、端部にクリップ部３４が設けられた一本のホルダー紐３１が存在することになる。
このような形態であっても、スライダフック部３２をスライドさせることで、ループ連結部３３が存在するループの大きさを変化させることができ、かつ、他端のクリップ部３４を衣類等に取り付けることができる。
【００５３】
［第一変形例］
また、上述の説明では、呼吸回路カバー１０のカバー主部１２は、一つのシート形状を有していたが、図８に例示されるように、二つ以上のシート形状に分離可能な構成とされてもよい。
図８は、呼吸回路カバー１０の第一変形例（分離型）を示す図であり、図８（ａ）は、第一変形例における呼吸回路カバー１０の外側面を示し、図８（ｂ）は、第一変形例における呼吸回路カバー１０の内側面を示している。
例えば、カバー主部１２は、それぞれ別体形成されている、第一の部分カバー部１２０Ａと第二の部分カバー部１２０Ｂとから形成される。
第一の部分カバー部１２０Ａは、開状態において、カバー主部１２の二つの長辺部のそれぞれ一部を形成する二つの長辺部とカバー主部１２の二つの短辺部の一方を含む二つの短辺部とから形成されるシート形状を有し、第一の部分カバー部１２０Ａの二つの長辺部に沿って第一線ファスナー１４が延設されている。
第二の部分カバー部１２０Ｂは、開状態において、カバー主部１２の二つの長辺部のそれぞれ一部を形成する二つの長辺部とカバー主部１２の二つの短辺部の他方を含む二つの短辺部とから形成されるシート形状を有し、第二の部分カバー部１２０Ｂの二つの長辺部に沿って第二線ファスナー１６が延設されている。
【００５４】
更に、第一の部分カバー部１２０Ａ及び第二の部分カバー部１２０Ｂは、一方の短辺部に相互に分離及び連結を可能とするカバー連結部をそれぞれ有している。
図８の例では、このカバー連結部として、第一の部分カバー部１２０Ａは３つの凹スナップボタン１９Ｍを有し、第二の部分カバー部１２０Ｂは３つの凸スナップボタン１９Ｏを有している。
凹スナップボタン１９Ｍは、第一の部分カバー部１２０Ａの表側面の一短辺部の辺縁付近に設けられており、凸スナップボタン１９Ｏは、第二の部分カバー部１２０Ｂの内側面の一短辺部の辺縁付近に設けられている。これにより、両者が係合することで、第一の部分カバー部１２０Ａ及び第二の部分カバー部１２０Ｂは、長辺方向に連結され、一連なりのカバー主部１２（呼吸回路カバー１０）が形成される。
但し、カバー連結部は、第一の部分カバー部１２０Ａ及び第二の部分カバー部１２０Ｂを相互に分離及び連結可能とすることができれば、スナップボタンでなくてもよく、面ファスナーであってもよいし、線ファスナーであってもよい。
【００５５】
第一変形例によれば、各々がカバー主部１２よりも長さの短い第一の部分カバー部１２０Ａ及び第二の部分カバー部１２０Ｂを取り扱うことになるため、一つの長いカバー主部１２を取り扱うのに比較して、呼気管９ｂに対する脱着がより容易となる。更に、部分的に汚れた場合には、その汚れた箇所を持つ第一の部分カバー部１２０Ａ又は第二の部分カバー部１２０Ｂのいずれか一方を洗うことができるため、利便性が向上する。
【００５６】
第一変形例において、第一の部分カバー部１２０Ａを形成する場合には、外側生地１２１は、幅方向だけでなく、長辺方向の長さについても、他の二層生地（中間生地１２２及び内側生地１２３）よりも短くされ、当該二層生地は、一方の長辺部のみでなく、一方の短辺部も片折バイアステープで縁取りを行う。そして、第一の部分カバー部１２０Ａの表側面において外側生地１２１から長辺方向にはみ出した片折バイアステープの表側面に３つの凹スナップボタン１９Ｍが並設される。
一方、第二の部分カバー部１２０Ｂを形成する場合には、外側生地１２１は、当該二層生地よりも長辺方向の長さが長くされる。そして、第二の部分カバー部１２０Ｂの内側面において当該二層生地からはみだした外側生地１２１の内側面に３つの凸スナップボタン１９Ｏが並設される。
これにより、第一の部分カバー部１２０Ａと第二の部分カバー部１２０Ｂとの連結部においても、第二の部分カバー部１２０Ｂの外側生地１２１と、第一の部分カバー部１２０Ａの他の二層生地（片折バイアステープも含む）とが重なり合うため、第一の部分カバー部１２０Ａ及び第二の部分カバー部１２０Ｂの主な領域と同様に、外側生地１２１、中間生地１２２及び内側生地１２３の三層生地で形成されることになる。
従って、第一変形例によれば、呼吸回路カバー１０を長さ方向に分離可能な構成として取り扱い容易とすると共に、連結部においても保温効果を維持しているため、上述の実施形態と同程度に、吸気管７ｂ内の結露を防ぐことができる。
【００５７】
［第二変形例］
保温効果を高めるためには、上述の呼吸回路カバー１０は、吸気管７ｂとの間の隙間が狭くなるように吸気管７ｂを覆うことが望ましい。ところが、吸気管７ｂには、その外周面から突出する形でネブライザー用の管やセンサに繋がる信号線等が接続される場合があり、呼吸回路カバー１０がその突出する接続箇所も含めて覆うようにすることは難しい。以降、吸気管７ｂの外周面から突出する形となる部位を吸気管突出部７０と表記することとする。
そこで、図９に示されるように、吸気管突出部７０を覆うことなくその吸気管突出部７０を挟んで二つの呼吸回路カバー１０で吸気管７ｂを覆うことが考えられる。
【００５８】
図９は、呼吸回路カバーの第二変形例（連結型）を示す図である。
第二変形例では、図９に示されるように、連結カバー５０が更に用いられ、呼吸回路カバー１０のカバー主部１２の外側面には、連結カバー５０と着脱自在に連結するための外部連結面ファスナー６１が設けられている。具体的には、二つの外部連結面ファスナー６１が、カバー主部１２の外側面における少なくとも一方の短辺部の辺縁部の近傍であって二つの長辺部の各辺縁部の近傍に設けられる。なお、図９には、カバー主部１２の外側面における一方の長辺部の辺縁部の近傍に設けられた一つの外部連結面ファスナー６１のみが表されており、他方の長辺部の辺縁部の近傍に設けられた他方の外部連結面ファスナー６１は表されていない（隠れた状態となっている）。
但し、一つの外部連結面ファスナー６１が、カバー主部１２の一方の長辺部の辺縁部から他方の長辺部の辺縁部まで延設されていてもよいし、各長辺部の辺縁部にそれぞれ２以上の外部連結面ファスナー６１が設けられていてもよい。
【００５９】
連結カバー５０は、上述の呼吸回路カバー１０のカバー主部１２とは別体形成されており、シート形状を有する。そして、連結カバー５０は、カバー主部１２と同じ複層生地で形成されていることが望ましい。連結カバー５０は、呼吸回路カバー１０のカバー主部１２と完全に同一生地とされる必要はないが、その主な領域が、図５に例示されるように、外側から内側に向かって、外側生地１２１、中間生地１２２、及び内側生地１２３が少なくとも積層された複層生地で形成されていることが望ましい。
また、連結カバー５０は、内表面の四隅に、上述の外部連結面ファスナー６１と着脱自在に連結する４つの連結面ファスナー５１を有している。但し、連結面ファスナー５１の数及び配置は図９の例に制限されない。
【００６０】
また、外部連結面ファスナー６１及び連結面ファスナー５１は、連結カバー５０が二つの呼吸回路カバー１０と着脱自在に連結可能であれば、スナップボタン等のような面ファスナー以外の連結部であってもよい。
【００６１】
連結カバー５０は、連結面ファスナー５１と外部連結面ファスナー６１とが連結した状態において、閉状態の二つの呼吸回路カバー１０の第一線ファスナー１４又は第二線ファスナー１６の一部を覆いつつ、二つの呼吸回路カバー１０のカバー主部１２の間に跨設され得る程度の形状及び大きさを有している。具体的には、連結カバー５０の長辺方向（図９紙面上の上下方向）の長さは、吸気管突出部７０を介して吸気管７ｂに装着される二つの呼吸回路カバー１０の長辺方向の一端部と、その吸気管突出部７０とを覆うことができる長さであればよい。また、連結カバー５０の短辺方向（図９紙面上の左右方向）の長さは、少なくとも、吸気管突出部７０及び当該呼吸回路カバー１０の留め具（第一線ファスナー１４又は第二線ファスナー１６）を覆うことができる長さであればよく、吸気管７ｂに装着された閉状態の呼吸回路カバー１０の外側面及び吸気管突出部７０を全て覆うことができる長さであってもよい。
【００６２】
なお、上述の第二変形例では、連結カバー５０が二つの呼吸回路カバー１０と連結される例が示されたが、連結カバー５０は、一つの呼吸回路カバー１０と他の形態の呼吸回路カバーとに連結されてもよい。この場合には、当該他の形態の呼吸回路カバーにも外部連結面ファスナー６１が設けられていればよい。
更に、連結カバー５０が呼吸回路カバー１０のカバー主部１２とは別体形成されず、連結カバー５０の一部がカバー主部１２に縫い合わされていてもよい。例えば、連結カバー５０は、角丸の略長方形の平面形状を有しており、内表面の一角領域（一つの角を含むその周辺領域）が呼吸回路カバー１０のカバー主部１２の外側面における一方の短辺部の辺縁部の近傍であって一つの長辺部の辺縁部の近傍に縫い付けられており、内表面の残りの三つの角部に連結面ファスナー５１が設けられていてもよい。これによれば、連結カバー５０が縫い付けられている呼吸回路カバー１０のカバー主部１２に設けられている外部連結面ファスナー６１と連結カバー５０の一つの連結面ファスナー５１が連結され、連結カバー５０の残りの二つの連結面ファスナー５１と他の呼吸回路カバー１０のカバー主部１２の二つの外部連結面ファスナー６１とが連結されることで、連結カバー５０は、閉状態の二つの呼吸回路カバー１０の留め具（第一線ファスナー１４又は第二線ファスナー１６）の一部を覆いつつ、二つの呼吸回路カバー１０のカバー主部１２の間に跨設される。
このように連結カバー５０の一部がカバー主部１２に縫い合わされていることで、連結カバー５０が呼吸回路カバー１０と一体化されるため、連結カバー５０の紛失を避けることができるし、管理も容易化される。
【００６３】
このような第二変形例によれば、吸気管７ｂにその外周面から突出する形となるような部品が接続される場合であっても、吸気管７ｂにおけるその部品の接続箇所（吸気管突出部７０）を除く箇所を呼吸回路カバー１０で覆うことができ、その接続箇所（吸気管突出部７０）を連結カバー５０で覆うことができるため、吸気管７ｂ内の結露を的確に防ぐことができる。
【００６４】
上述の実施形態及び各変形例は、内容が相反しない範囲で適宜組み合わせることができる。
【符号の説明】
【００６５】
１  人工呼吸システム，２  人工呼吸器，３  加温加湿器，４  Ｙピース，６  ウォータートラップ，７ａ及び７ｂ  吸気管，８  カテーテルマウント，９ａ及び９ｂ  呼気管，１０  呼吸回路カバー，１２  カバー主部，１４  第一線ファスナー，１４Ｌ及び１４Ｒ  エレメント、１４Ｈ  箱，１４Ｋ  箱棒，１４Ｃ  蝶棒，１４Ｓ  スライダ，１６  第二線ファスナー，１６Ｌ及び１６Ｒ  エレメント，１６Ｕ及び１６Ｖ  上止，１６Ｓ  スライダ，１９Ｏ  凸スナップボタン，１９Ｍ  凹スナップボタン，２０  呼吸回路カバー，２２  カバー主部，２５Ｏ  凸スナップボタン，２５Ｍ  凹スナップボタン，３０  呼吸回路ホルダー，３１  ホルダー紐，３２  スライダフック部，３３  ループ連結部，３４  クリップ部，５０  連結カバー，５１  連結面ファスナー，６１  外部連結面ファスナー，７０  吸気管突出部，１２０Ａ  第一の部分カバー部，１２０Ｂ  第二の部分カバー部，１２１  外側生地，１２２  中間生地，１２３  内側生地，１２１ａ  表地，１２１ｂ  中綿，１２１ｃ  裏地，１２２ａ  アルミ蒸着フィルム，１２２ｂ  発砲ポリエチレン，１２３ａ  化繊綿地，１２３ｂ  不織布，１２３ｃ  アルミシート，１２３ｄ  アルミ保護生地
【図１】
2020022719.tif 000003
【図２】
2020022719.tif 000004
【図３】
2020022719.tif 000005
【図４】
2020022719.tif 000006
【図５】
2020022719.tif 000007
【図６】
2020022719.tif 000008
【図７】
2020022719.tif 000009
【図８】
2020022719.tif 000010
【図９】
2020022719.tif 000011
【手続補正書】
【提出日】平成31年4月12日(2019.4.12)
【手続補正１】
【補正対象書類名】特許請求の範囲
【補正対象項目名】全文
【補正方法】変更
【補正の内容】
【特許請求の範囲】
【請求項１】
人工呼吸システムにおける加湿された吸気ガスを患者へ供給する吸気管を覆う呼吸回路カバーであって、
開状態において、前記吸気管の長手方向に対応する二つの長辺部と、前記吸気管の外周面を包囲可能な長さの二つの短辺部とから形成されるシート形状を有するカバー主部と、
前記カバー主部の前記二つの長辺部に沿って設けられた留め具と、
を備え、
前記カバー主部は、前記留め具を留め合わせた閉状態において、前記吸気管の外周面を包囲可能な筒形状となり、
前記カバー主部は、外側から内側に向かって、外側生地、第一アルミ地を含む中間生地、及び第二アルミ地を含む内側生地が少なくとも積層された複層生地で形成されており、
前記留め具は、
前記カバー主部における長辺方向の患者側の第一端部から、該第一端部と長辺方向の人工呼吸器側の第二端部との間の第一特定部位まで延設された第一線ファスナーと、
前記カバー主部における前記第一特定部位に近接する第二特定部位又は前記第一特定部位から前記第二端部寄りに離間する第二特定部位から前記第二端部まで延設された第二線ファスナーと、
を含み、
前記第一線ファスナーは、前記第一端部から前記第一特定部位に向かう方向にスライダが移動することで、開状態となり、
前記第二線ファスナーは、前記第二特定部位から前記第二端部に向かう方向にスライダが移動することで、開状態となる、
呼吸回路カバー。
【請求項２】
人工呼吸システムにおける加湿された吸気ガスを患者へ供給する吸気管を覆う呼吸回路カバーであって、
開状態において、前記吸気管の長手方向に対応する二つの長辺部と、前記吸気管の外周面を包囲可能な長さの二つの短辺部とから形成されるシート形状を有するカバー主部と、
前記カバー主部の前記二つの長辺部に沿って設けられた留め具と、
シート状の連結カバー部と、
を備え、
前記カバー主部は、前記留め具を留め合わせた閉状態において、前記吸気管の外周面を包囲可能な筒形状となり、
前記カバー主部及び前記連結カバー部は、外側から内側に向かって、外側生地、第一アルミ地を含む中間生地、及び第二アルミ地を含む内側生地が少なくとも積層された複層生地で形成されており、
前記カバー主部は、外側面における少なくとも一方の短辺部の辺縁部の近傍に設けられた外部連結部を更に含み、
前記連結カバー部は、内側面に、相互に別体の二つの呼吸回路カバーの前記外部連結部と着脱自在に連結する複数の連結部を含み、前記複数の連結部が前記二つの呼吸回路カバーの前記外部連結部と連結した状態において、閉状態の前記二つの呼吸回路カバーの前記留め具の一部を覆いつつ、前記二つの呼吸回路カバーの前記カバー主部の間に跨設される、
呼吸回路カバー。
【請求項３】
前記カバー主部は、
開状態において、前記二つの長辺部のそれぞれ一部を形成する二つの長辺部と前記二つの短辺部の一方を含む二つの短辺部とから形成されるシート形状を有し、該二つの長辺部に沿って前記第一線ファスナーが延設された第一の部分カバー部と、
開状態において、前記二つの長辺部のそれぞれ一部を形成する二つの長辺部と前記二つの短辺部の他方を含む二つの短辺部とから形成されるシート形状を有し、該二つの長辺部に沿って前記第二線ファスナーが延設された第二の部分カバー部と、
を含み、
前記第一の部分カバー部及び前記第二の部分カバー部はそれぞれ別体形成されており、一方の短辺部に、相互に着脱自在に連結するカバー連結部を含む、
請求項１に記載の呼吸回路カバー。
【請求項４】
前記外側生地は、キルティング生地であり、
前記内側生地は、メッシュ状のアルミ保護生地と化繊綿地との間に前記第二アルミ地を挟んだ状態でキルティング加工されている、
請求項１から３のいずれか一項に記載に呼吸回路カバー。
【請求項５】
前記外側生地には、図柄又は模様が施されている、
請求項１から４のいずれか一項に記載の呼吸回路カバー。
【手続補正３】
【補正対象書類名】明細書
【補正対象項目名】０００１
【補正方法】変更
【補正の内容】
【０００１】
本発明は、人工呼吸システムに用いられる呼吸回路カバーに関する。
【手続補正４】
【補正対象書類名】明細書
【補正対象項目名】０００６
【補正方法】変更
【補正の内容】
【０００６】
本発明は、このような事情に鑑みてなされたものであり、吸気管内の結露を防ぐと共に、洗浄が可能な呼吸回路カバーを提供する。
【手続補正５】
【補正対象書類名】明細書
【補正対象項目名】００６４
【補正方法】変更
【補正の内容】
【００６４】
上述の実施形態及び各変形例は、内容が相反しない範囲で適宜組み合わせることができる。
また、上述の内容は次のように特定することもできる。
（１）
人工呼吸システムにおける加湿された吸気ガスを患者へ供給する吸気管を覆う呼吸回路カバーであって、
開状態において、前記吸気管の長手方向に対応する二つの長辺部と、前記吸気管の外周面を包囲可能な長さの二つの短辺部とから形成されるシート形状を有するカバー主部と、
前記カバー主部の前記二つの長辺部に沿って設けられた留め具と、
を備え、
前記カバー主部は、前記留め具を留め合わせた閉状態において、前記吸気管の外周面を包囲可能な筒形状となり、
前記カバー主部は、外側から内側に向かって、外側生地、第一アルミ地を含む中間生地、及び第二アルミ地を含む内側生地が少なくとも積層された複層生地で形成されている、
呼吸回路カバー。
（２）
前記外側生地は、キルティング生地であり、
前記内側生地は、メッシュ状のアルミ保護生地と化繊綿地との間に前記第二アルミ地を挟んだ状態でキルティング加工されている、
（１）に記載に呼吸回路カバー。
（３）
前記外側生地には、図柄又は模様が施されている、
（１）又は（２）に記載の呼吸回路カバー。
（４）
前記留め具は、
前記カバー主部における長辺方向の患者側の第一端部から、該第一端部と長辺方向の人工呼吸器側の第二端部との間の第一特定部位まで延設された第一線ファスナーと、
前記カバー主部における前記第一特定部位に近接する第二特定部位又は前記第一特定部位から前記第二端部寄りに離間する第二特定部位から前記第二端部まで延設された第二線ファスナーと、
を含み、
前記第一線ファスナーは、前記第一端部から前記第一特定部位に向かう方向にスライダが移動することで、開状態となり、
前記第二線ファスナーは、前記第二特定部位から前記第二端部に向かう方向にスライダが移動することで、開状態となる、
（１）から（３）のいずれか一つに記載の呼吸回路カバー。
（５）
前記カバー主部は、
開状態において、前記二つの長辺部のそれぞれ一部を形成する二つの長辺部と前記二つの短辺部の一方を含む二つの短辺部とから形成されるシート形状を有し、該二つの長辺部に沿って前記第一線ファスナーが延設された第一の部分カバー部と、
開状態において、前記二つの長辺部のそれぞれ一部を形成する二つの長辺部と前記二つの短辺部の他方を含む二つの短辺部とから形成されるシート形状を有し、該二つの長辺部に沿って前記第二線ファスナーが延設された第二の部分カバー部と、
を含み、
前記第一の部分カバー部及び前記第二の部分カバー部はそれぞれ別体形成されており、一方の短辺部に、相互に着脱自在に連結するカバー連結部を含む、
（４）に記載の呼吸回路カバー。
（６）
前記カバー主部と同じ前記複層生地で形成されているシート状の連結カバー部、
を更に備え、
前記カバー主部は、外側面における少なくとも一方の短辺部の辺縁部の近傍に設けられた外部連結部を更に含み、
前記連結カバー部は、
内側面に、相互に別体の二つの呼吸回路カバーの前記外部連結部と着脱自在に連結する複数の連結部を含み、
前記複数の連結部が前記二つの呼吸回路カバーの前記外部連結部と連結した状態において、閉状態の前記二つの呼吸回路カバーの前記留め具の一部を覆いつつ、前記二つの呼吸回路カバーの前記カバー主部の間に跨設される、
（１）から（５）のいずれかつに記載の呼吸回路カバー。
（７）
（１）から（６）のいずれか一つに記載の呼吸回路カバーと共に用いられる呼吸回路ホルダーであって、
ホルダー紐と、
ロック状態において前記ホルダー紐の第一ループを形成した状態で前記ホルダー紐に係止され、解放状態で前記ホルダー紐に沿ってスライド可能となり、該第一ループの大きさを変化させ得るスライダフック部と、
前記第一ループを形成する部位に設けられており、前記第一ループの切断及び接続を可能とするループ連結部と、
前記ホルダー紐における前記スライダフック部を介して前記第一ループとは逆側の部位に設けられたクリップ部と、
を備える呼吸回路ホルダー。
（８）
前記スライダフック部は、前記第一ループを形成する側と反対側にも前記紐状体の第二ループを形成し、
前記クリップ部は、前記第二ループを形成する前記紐状体に沿ってスライド自在に設けられている、
（７）に記載の呼吸回路ホルダー。